(57)【要約】【課題】お湯を使用するだけで補集効果が高いゴキブリ駆除器を提供する。【手段】駆除器はタンク部１と上室３と蓋４とから成っている。上室３はタンク部１に着脱自在であり、蓋４は上室３に対してねじ込まれている。上室３には入り口９と棚部１１ａ〜１１ｃが設けられている。蓋４は入り口９を閉じるための内筒１５と、下段棚部１１ｃに下方から当り得る閉鎖体１９とが設けられている。タンク部１にお湯を入れて室に一晩放置しておくと、ゴキブリＧは熱と湯気に惹かれて上室３に入り込み、高温多湿という絶好の環境に満足して居続ける。そして、蓋４をねじ込んで入り口９を閉じてから逆さにすることでゴキブリＧを窒息死させ、次いで、元の姿勢に戻してゴキブリＧをタンク部１に流し込み、それから上室３を取り外して水とゴキブリＧを捨てる。【選択図】図１
2009000066.tif 000002
【特許請求の範囲】
【請求項１】
液体が溜まるタンク部と、前記タンク部の上方に配置されていて小害虫が居続けることができる上室と、小害虫が外部から前記上室に入り込む入り口とを有しており、前記タンク部と上室とは液体が通り得るように連通している、
小害虫駆除器。
【請求項２】
更に、前記入り口を密閉する蓋が設けられている、
請求項１に記載した小害虫駆除器。
【請求項３】
前記上室は、筒状の外観を呈していてタンク部に着脱自在に装着されていると共にその内部には害虫が居続け得る棚部が内向きに突設されており、一方、前記蓋はねじ式又はスライド式であり、この蓋は、上昇すると入り口を開いて下降し切ると入り口を閉じるように上室に装着されており、かつ、前記蓋に、当該蓋が上昇し切るとタンク部と上室とを殆ど又は全く連通させずに下降し切るとタンク部と上室とを大きく連通させる閉鎖体が設けられている、
請求項１又は２に記載した小害虫駆除器。
【発明の詳細な説明】
【技術分野】
【０００１】
本願発明は、ゴキブリや油虫のような小害虫（或いは虫類）を駆除する駆除器（駆除具、捕獲器、捕獲具と言った別名で呼ぶことも可能である）に関するものである。
【背景技術】
【０００２】
家庭や店舗等でゴキブリを駆除する方法としては、室内を締め切って殺虫ガスを充満させて死滅させる方法と、室の隅等に器具を置いてこの器具に補集する方法とに大別されるが、前者の殺虫ガスを使用する方法は、人はかなりの時間室外に出ていなければならない問題や、犬や猫、ハムスター、小鳥、或いはクワガタやカブト虫といったペット類に悪影響を与える問題がある。また、人目に触れないところに死骸が残ることにより、ゴキブリの死骸を餌とする他の虫の発生を誘発したり異臭を発したりする点も問題であった。
【０００３】
駆除器具としては、組み立て式の紙製ハウスの内部に粘着シートを配置して粘着シートに誘因物質（フェロモン又は餌）を貼り付けたものが良く知られており、この粘着シート式の駆除具は、ペット類への悪影響は少ないと共に死骸に起因した他の虫の発生や異臭の発生はないが、使い捨てであるため長期にわたって見るとランニングコストが嵩むという問題がある。
【０００４】
他方、水（或いは液体）を使用した駆除具が提案されている。すなわちこれは、ゴキブリや油虫をタンクに溜まった水に落し込んで窒息死させようとするものであり、その例は特許文献１〜４を初めとして多数にのぼっている。
【特許文献１】実公昭４８−３６９３９号公報
【特許文献２】実公昭４８−４３００６号公報
【特許文献３】実開昭５０−７２６６１号のマイクロフィルム
【特許文献４】実開昭５７−１８７０７５号のマイクロフィルム
【発明の開示】
【発明が解決しようとする課題】
【０００５】
水を使用した駆除具は永続的に使用できるものであるため、ある程度の長期にわたって使用し続けると１回当たりの駆除コストは粘着シート方式に比べて格段に安くなる利点がある。
【０００６】
しかし、水を使用した駆除具は多数の出願がされているものの、市場で見かけることはない（市販例はあるのかも知れないが、当出願人に関する限り見かけたことはない。）。水方式の駆除具が駆除コスト抑制に貢献できるにも拘わらず商品化されていない主因は、駆除効果（補集効果）が乏しいためではないかと推測される。
【０００７】
すなわち、従来の水方式の駆除具は一種の落とし穴方式であり、ゴキブリをタンクに落として窒息死（溺死）させようとしているのであるが、ゴキブリと雖も多少の知能はあって危険は感知し得るために簡単に水の中に落ちることはないのであり、また、ゴキブリは他の多くの昆虫と同様に平滑な垂直面も歩き回れる特殊な足を持っており、このため、ゴキブリは落とし口の縁まで行っても水には落ちずに戻ってくると解される。
【０００８】
本願発明は、このような現状を改善することを課題するものである。
【課題を解決するための手段】
【０００９】
ところで、ゴキブリは暗くて高温・高湿（多湿）の場所を好む習性があり、本願発明者が観察したところ、暗くて高温・高湿の環境下では長い時間（例えば一晩中）にわたって居続けることが確認された。本願発明者はこのような観察と知見を基にして、更に研究をすることで本願発明を完成させるに至った。
【００１０】
本願発明は多くの構成を含んでおり、その典型例を請求項に記載している。このうち請求項１の発明は最も上位概念に係るものであり、液体が溜まるタンク部と、前記タンク部の上方に配置されていて小害虫が居続けることができる上室と、小害虫が外部から前記上室に入り込む入り口とを有しており、前記タンク部と上室とは液体が通り得るように連通している、という構成になっている。請求項２の発明は請求項１をより好適な形態に具体化したもので、この発明では、請求項１の構成に加えて、更に、前記入り口を密閉する蓋が設けられている。
【００１１】
請求項３の発明は請求項１又は２を具体化したもので、この発明では、前記上室は、筒状の外観を呈していてタンク部に着脱自在に装着されていると共にその内部には害虫が居続け得る棚部が内向きに突設されており、一方、前記蓋はねじ式又はスライド式であり、この蓋は、上昇すると入り口を開いて下降し切ると入り口を閉じるように上室に装着されており、かつ、前記蓋に、当該蓋が上昇し切るとタンク部と上室とを殆ど又は全く連通させずに下降し切るとタンク部と上室とを大きく連通させる閉鎖体が設けられている。
【発明の効果】
【００１２】
本願発明はゴキブリの駆除を主目的としてなされたものであり、そこで、本欄ではゴキブリの駆除を例に挙げて説明する（油虫等の他の小害虫について主な作用・効果は同じである。）。
【００１３】
本願発明では、例えばタンク部にお湯を入れておくことにより、上室をゴキブリが好む高温・高湿の環境下に保持できる。このため、タンク部にお湯を入れた本願の駆除具を部屋の隅において一晩放置しておくと、上室には多数のゴキブリが集まっている。つまり、本願発明では、ゴキブリは危険を感じることなく多数匹が上室で居心地良く休息しているのであり、このためゴキブリを効率良く補集できる。
【００１４】
そして、上室に補集されたゴキブリは水や湯を使用して殺すことができる。水又は湯でゴキブリを殺す方法は実施形態に詳記しているように幾通りかある。請求項２及び請求項３のように蓋を備えている場合は、ａ：蓋を閉めてタンク部と上室とを密閉し、その状態で逆さまにしてタンク部の水（或いはお湯）を上室に流し込むことによってゴキブリを窒息死させる、という方法と、ｂ：蓋を閉じてタンク部と上室とを密閉してから駆除器を上下等に大きく振って（シェークして）水をタンク部と上室とに行き来させることでゴキブリを予備的に窒息させ、それから駆除器を元の姿勢に戻してゴキブリをタンク部に流し込んでここで完全に窒息死（溺死）させる、という方法との２種類の方法を採用できる。
【００１５】
ａ及びｂのいずれの方法においても、窒息死したゴキブリを取り出す方法は駆除器の具体的な構造によって相違する。タンク部と上室とが着脱自在な構造である場合は、タンク部から上室を取り外して、タンク部の水と共にゴキブリを捨てたらよい。タンク部と上室とが一体構造の場合は蓋を取り外してから、水と共にゴキブリを捨てることになる。
【００１６】
入り口を閉じ得る蓋を備えていない場合は、ゴキブリを殺す方法としては、上室に熱湯を流し込んで煮殺す方法と上室に水や湯を流し込んで窒息死させる方法とのいずれかを採用できる。蓋を上室から簡単に取り外しできる場合も、熱湯や水の流し込みを採用できる。言うまでもないが、殺したゴキブリは水と一緒に捨てればよい。
【００１７】
このように、本願発明によると、お湯や水を使用するだけで多数のゴキブリを効率良く補集してこれらを駆除できるため、ゴキブリ等の小害虫を安価にかつ効率良く駆除できるのである。
【００１８】
請求項３のように構成すると、タンク部にお湯を入れて蓋を上昇させ切ると、タンク部と上室とは閉鎖体によって殆ど連通しない状態に保持されており、このため、上室には熱が少しずつ伝わると共に湯気が少しずつ入りこみ、その結果、上室は高温・高湿の状態になってその状態が長時間維持される。このため上室はゴキブリにとって頗る居心地の良い環境になっている。そこで、室内を徘徊しているゴキブリたちはタンク部からの熱と湯気とに惹かれて駆除器に近寄って入り口から上室に入り込み、上室に入った後は居心地の良さに満足して長時間居続ける。
【００１９】
そして、蓋を下降させて入り口を閉じるとタンク部と上室とは大きく連通するため、既述のａ又はｂの方法によってゴキブリを窒息死させ、それから、上室をタンク部から取り外してゴキブリと水とを捨てたら良い。従って、請求項３の構成を採用すると、ゴキブリ等を捨てる作業の容易性を損なうことなく、ゴキブリ等の小害虫の補集効果をより一層向上できる。
【発明を実施するための最良の形態】
【００２０】
次に、本願発明の実施形態を図面に基づいて説明する。図１〜３では第１実施形態を示し、図４以下では第２〜第１０実施形態を示している。第１実施形態から順に説明する。
【００２１】
(1).第２実施形態の構造
第１実施形態の構造は図１に示している。図１のうち（Ａ）は縦断正面図で（Ａ）のＢ−Ｂ視断面図、（Ｂ）は（Ａ）のＢ−Ｂ視断面図、（Ｃ）は部分的な拡大図である。この実施形態では、駆除器は、上端にねじ式の口部２を有するタンク部１と、タンク部１の口部２に着脱自在な円筒状の上室３と、上室３の上部にねじこみ装着した蓋４とを備えている。
【００２２】
タンク部１の素材は任意に設定できる。例えばステンレス板等の金属板や合成樹脂、ガラス、或いはガラスと樹脂の複合材などを採用できる。図面ではタンク部１は他の部材に比べて薄肉に描いているが、これは作図を容易ならしめるための便宜的なものである。なお、タンク部１を樹脂又はガラスで製造する場合、内部を視認できるように透明材にするのが好ましい。また、タンク部１は、内部を容易に洗浄できるように口部２の口径はできるだけ大きいのが好ましいと言える。
【００２３】
上室３は例えば樹脂の成形品（又は組み立て品）であり、その下端部にはタンク部１の口部にねじこまれるねじ筒部５が形成されており、上部には蓋４を装着するための雄ねじ部６が形成されている。上室３のうちねじ筒部５に連接した部分は下広がりのテーパ部７になっており、テーパ部７の上端と雄ねじ部６との間はストレート筒状の基部８になっている。
【００２４】
上室３のうち基部８の上部には、ゴキブリＧが通過できる大きさの入り口９が円周方向に沿って飛び飛びの状態で複数個形成されている。本実施形態では入り口９は等間隔を隔てた４箇所に形成しているが、個数は任意に設定できる（例えば等間隔を隔てて３箇所や６箇所など。）。入り口９の外側にはゴキブリＧの誘い込みを目的として上向き凹状の庇部１０を一体に設けている。
【００２５】
上室３の内部のうち入り口９とテーパ部７との間の部位には、ゴキブリＧが安楽に居続けることのできる居留手段の一例として、上下３段の棚部１１ａ，１１ｂ，１１ｃを内向きに突設している。各棚部１１ａ〜１１ｃは全周にわたって延びている。なお、棚部は内向きのリブと言い換えることも可能である。
【００２６】
蓋４は、上室３の雄ねじ部６に螺合する円筒形の外筒１３とその上端に連続した天板１４とを有しており、天板１４の下面には、上室３の内部に入り込む内筒１５と、中心部から下向きに延びるセンター突起１６とが一体に形成されている。内筒１５と上室３との間には若干の隙間が空いており、かつ、内筒１５の下端部の外周面には外向き開口の環状溝を形成してこの環状溝にシール手段の一例としてのＯリング１７を装着している。Ｏリング１７はその弾性によって上室３の内周面に密接している。
【００２７】
センター突起１６は筒状になっていてその内部には雌ねじが形成されており、この雌ねじにロッド１８が下方からねじ込まれている。そして、ロッド１８の下端には、上室３における下段棚部１１ｃの下方に位置する円板状の閉鎖体１９が一体に形成されている。閉鎖体１９の外径は下段棚部１１ｃの外径よりもやや大径に設定されている。
【００２８】
蓋４の上下動によってＯリング１７は入り口９の上方と下方とに移動し、これにより、入り口９は開いたり閉じたりする。入り口９が閉じると上室３とタンク部１とは密閉状態になる。そして、Ｏリング１７が入り口９の上端近傍に位置した状態で閉鎖体１９が下段棚部１１ｃの下面に当たるように設定されている。これにより、蓋４の上昇限度位置が規定される。蓋４の下降限度位置は、天板１４が上室３の上面に当たることで規制されている。
【００２９】
図１（Ｃ）に示すように、閉鎖体１９の上面には、下段棚部１１ｃとの間に僅かの隙間を設けるクリアランス形成手段の一例として、下段棚部１２に下方から当たり得る突起２０を１個又は円周方向に沿って飛び飛びで複数個設けている。突起２０は下段棚部１１ｃに設けても良い。また、クリアランス形成手段しては、例えば閉鎖体１９又は下段棚部１１ｃに放射状の溝を形成するなどしてもよい。また、クリアランス形成手段は必ずしも設ける必要はない。
【００３０】
(2).使用方法
次に、図２，３も参照して使用方法を説明する。ゴキブリＧは暗くなると這い回るので、駆除器は夜にセットするのが好ましい（勿論、昼間でも留守する場合に室を締め切ってセットすることは可能である。）。セットするにおいては、上室３をタンク部１から取り外してタンク部１にお湯を入れておく。そして、上室３を装着して上室３の入り口９を空けた状態で例えば室の隅のようなゴキブリＧの通り道にセットし、例えば一晩放置しておく。
【００３１】
タンク部１にはお湯が入っているため、上室３の内部には湯気が進入すると共に熱も伝わり、このため上室３の内部は高温・高湿に保持されている。また、湯気が入り口９から外部に僅かながら漏洩すると共に熱はタンク部１から外部に放散され、このため熱と湯気とに引き寄せられてゴキブリＧが集まってくる。ゴキブリＧはタンク部１及び上室３の外面をのぼって入り口９から下段棚部１２の内部に入り込む。
【００３２】
そして、上室３の内部が高温・高湿でゴキブリＧにとってこの上なく好環境であることと、上室３の内部にはゴキブリＧが身体をゆっくり休めることのできる平坦状の棚部１１ａ〜１１ｃと閉鎖体１９とがあることにより、ゴキブリＧたちは危険を感じることなく長時間にわたって上室３の内部に居留している。
【００３３】
そして、朝になったら、まず、図２（Ａ）に示すように蓋４をねじ込んで入り口９を塞ぐ。すると閉鎖体１９が下降することにより、上室３の内部とタンク部１の内部とは水（冷めた湯）が大量に行き来できる状態に連通する。そこで、例えば図２（Ｂ）に示すように駆除器を逆さまにして上室３を水で充満させ、この状態を適当な時間維持することによってゴキブリＧを窒息死（溺死）させる。
【００３４】
駆除器を逆さまにせずに、蓋４を閉じた状態で駆除器を上下に何回か振ることでゴキブリＧをタンク部１に流し込んで、タンク部１でゴキブリＧを窒息死させることも可能である。いずれにしても、図２（Ｃ）に示すように、ゴキブリＧは窒息死してタンク部１の内部に漂う状態にある。そこで最後に、上室３をタンク部１から取り外して、図３に示すように、タンク部１の内部の水と一緒にゴキブリＧを捨てたら良い。
【００３５】
本実施形態のように上室３の下部にテーパ部７を設けると、閉鎖体１９を大きく下降させなくても上室３とタンク部１とを大きく連通させ得るため、蓋４の短いストロークでゴキブリＧをタンク部１に流し込みできる利点がある。図１（Ａ）に一点鎖線で示すように上室３に取っ手２１を設けると駆除器の全体を振る場合に好適であり、また、タンク部１に取っ手２２を設けると水及びゴキブリＧの流し出しに便利である。
【００３６】
上室３は蓋４の内部は洗浄する必要があるが、本実施形態のようにロッド１８を蓋４にねじ込む構成を採用すると、上室３をタンク部１から取り外してロッド１８を蓋４から取り外すことにより、蓋４と上室３とを分離できるため、洗浄作業を楽に行える利点がある。また、おおきなゴキブリＧの場合は上室３からタンク部１に流れ込まずに上室３の内部につかえることが有り得るが、その場合もロッド１８を外すことでゴキブリＧを除去できる。
【００３７】
タンク部１には、お湯と一緒にゴキブリＧの誘因物を加えても良い。例えば、しょうゆやソースを数滴垂らしたり砂糖又は調味料を適量混ぜたりというように餌効果のあるものを添加することができる。フェロモン物質を混入することも可能である。また、図１（Ａ）に部分的に示すように、タンク部１を外筒１′と内筒との二重構造とすること（魔法瓶構造）により、タンク部１の断熱性を高めることも可能であり、すると、お湯が冷めるのを抑制してゴキブリＧの貯留時間を長くできる。
【００３８】
(3).第２〜第４実施形態（図４）
図４では第１実施形態の変形例である第２〜第４実施形態を示している。このうち（Ａ）に示す第２実施形態では、蓋４を下降させ切った状態で内筒１５の下端と上棚部１１ａとの間にゴキブリＧの体高よりも遥かに大きい寸法の隙間が空くように設定している。このように構成すると、上棚部１１ａにいたゴキブリＧが内筒１５で潰されることを防止できると共に、入り口９の密閉も確実になる利点がある。
【００３９】
（Ｂ）に示す第３実施形態では、入り口９を囲う庇部１０が下向き凹状に形成されている。また、（Ｃ）に示す第４実施形態では上室３は庇部は備えておらず、上室３の外面には突起物は存在しない。
【００４０】
(4).第５〜第７実施形態（図５）
図５では第５〜第７実施形態を示している。これらの実施形態の基本構造は第１実施形態と共通しているが、第１実施形態との主な相違点は、部材の製造の容易性（特に部材を射出成形法で製造するにおいて型抜きの容易性）を図っている点にある。（Ａ）から順に説明する。
【００４１】
（Ａ）に示す第５実施形態では、上室３は上部材３ａと下部材３ｂとの２つの部材から成っており、上下の部材３ａ，３ｂは強制嵌合やねじ込みのような手段で一体化されている。また、上部材３ａと下部材３ｂとにそれぞれ１段ずつの棚部１１を形成している。更に、上部材３ａのうち雄ねじ部６は入り口９を形成している部分よりも板厚かそれ以上の寸法だけ外側にずれており、このため、軸方向に密着・離反する金型を使用した成形法において、入り口９はいわゆる抜き違いによって簡単に形成できる。
【００４２】
（Ａ）においてねじ部は簡略表示している。また、蓋４は天板１４を下向き凹状に大きく凹ませた下向き凹部４ａを有しており、このためゴキブリＧが入り口９の上方にはい登ることはない。ロッド１８は蓋４の下向き凹所４ａに形成した筒部２４に強制嵌合やねじ込みによって取付けられている。また、入り口９を閉じるシール手段としては、下向き凹部４ａの下端部外周に環状突起（アンダーカット）２５を一体に形成している。
【００４３】
（Ｂ）に示す第６実施形態は第５実施形態と同様に上室３が上部材３ａと下部材３ｂとの２パーツ構造であり、かつ、入り口９は第５実施形態と同様に抜き違いによって形成されている。そして、この実施形態では、特徴として、棚部１１は螺旋状に形成されている。この螺旋状の棚部１１はモーターラック（回転型）によって容易に形成できる。
【００４４】
蓋４の外筒１３には、上昇状態において入り口９を囲う環状の囲い壁２６を一体に形成している。上部材３ａの外周面を這い登ってきたゴキブリＧは触覚が囲い壁２６に当たることで上方への移動を阻止され、そして、囲い壁２６の内面に沿って円周方向に移動することで入り口９を探し当てて、上室３の内部に誘い込まれていく。蓋４は上室３の上部材３ａにねじ込んでいるが、上下スライド自在に装着することも可能である。
【００４５】
（Ｃ）に示す第７実施形態では、上室３は樹脂成形品の単一部材からなっており、第１実施形態と同様に下部にはタンク部１に螺合するねじ筒５が形成されている（この実施形態でもねじの断面表示は省略している。）。この実施形態では、ゴキブリＧの居留手段として、基部８の内面部に、リング状の第１段部２７とその内周から下がった第２段部２８とを形成している。両段部２７，２８は径違いであるため型抜きには支障はない。
【００４６】
また、第７実施形態では、上室３の雄ねじ部６はリング板部２９を介して基部８の上端近くに設けられており、リング板部２９に飛び飛びで入り口９が形成されている。そして、蓋４における下向き凹所４ａの下面に、上室３における基部８の上端面に当接し得るパッキン３０を装着している。この上室３は、軸方向に密着・離反する金型を使用して容易に製造できる。
【００４７】
(5).第８〜第１０実施形態（図６）
図６のうち（Ａ）では第８実施形態を示している。この実施形態の特徴の一つとして、タンク部１と上室３とが一体に繋がっている点が挙げられる。すなわち、この実施形態では、タンク部１と上室３とは樹脂又はガラスを素材としてたブロー成形か又は金属板を素材とした絞り加工によってボトル状の一体品として製造されており、上部にゴキブリＧの安楽居留手段とし２段の棚部１１′，１１″が内向きに突設することにより、当該上部を上室３と成している。
【００４８】
更にこの第８実施形態の他の特徴は、蓋４はねじ込み式でなくて上室３に上下スライド自在に嵌まっている点である。すなわち、蓋４の内筒１５を上室３の内周面に密接させることで蓋４の上下スライドを可能ならしめ、かつ、内筒１５の上端寄り部位にシール手段としての環状突起２５を設けることで密閉状態を保持し、かつ、蓋４の内筒１５のうち環状突起２５より下方の部位に下向きの切り開き溝３３を円周方向に沿って複数形成することで入り口９と成している。この実施形態から理解できるように、入り口９は蓋４に形成することも可能である。
【００４９】
蓋４にはゴキブリＧを誘い込むための囲い壁２６を設けている。この実施形態では、蓋４を押し込むと入り口９は上室３によって閉じられるが、蓋４は入り口９が開いた高さ位置に保持する必要がある。そこで本実施形態では、閉鎖体１９を弾性変形可能な状態に形成して、上室３における下段の棚部１１″の内周縁に上方から当たるように設定している。
【００５０】
閉鎖体１９はある程度の力で強く押したり強く引いたりすると弾性変形によって下段の棚部１１″を乗り越える。このため、湯気及び熱の遮蔽機能を損なうことなく蓋４を開口状態に保持できる。この実施形態では、上段の棚部１１′の内径は閉鎖体１９の外径よりも小さい寸法になっている。このため、蓋４の着脱に際して閉鎖体１９が上段の棚部１１′に当たることはない。
【００５１】
言うまでもないが、この実施形態では、ゴキブリＧを捨てるに際しては蓋４を上室３から取り外すことになる。視認の容易性からはタンク部１及び上室３からなる本体部は透明な素材で製造するのが好ましいと言えるが、ゴキブリＧの居心地を良くするという点からは非透明として内部を暗くするのが好ましい。また、シール機能を確保するには上室３は硬い素材が好適であり、従って、耐熱ガラスのような特殊ガラスを素材として製造するのが好ましいと言える。タンク部１と上室３とからなる本体の全体を外筒１″を有する二重構造にして全体の断熱性を高めることも可能である。全体を二重構造にする場合、内外を異なる素材（例えば樹脂と金属、金属とガラスなど）で構成することも可能である。
【００５２】
（Ｂ）に示すの第９実施形態でも、タンク部１と上室３とは一体に連続して全体か単一物になっている。但し、この実施形態ではタンク部１と上室３とからなる本体部は全体としてストレートになっており、そこで、上室３を形成するために、２段の棚部１１′、１１″を有するインナー部材３４をタンク部１の内部に装着している。インナー部材３４は二つ割り方式又は上下積み重ね方式の２パーツ構造になっており、このため成形は容易である。
【００５３】
この第９実施形態では、蓋４に設けた外筒１３を上室３の外周面に密着させることで蓋４のスライドが許容されており、外筒１３に切欠き溝３３を設けることで入り口９が形成されている。閉鎖体１９と棚部１１″との関係は第８実施形態と同じである。ロッド１８は蓋４に設けた突起３５に嵌着している。
【００５４】
（Ｃ）に示す第１０実施形態は、タンク部１の上部に筒部と底板とを有する受け部材３６を嵌め入れることにより、タンク部１の上部を上室３と成している。受け部材３６はゴキブリＧの居留手段の一例であり、下方に落下しないように、タンク部１の上面に当たるフランジ３６ａを有している。そして、受け部材３６の底板には湯気が通る小穴３７を適宜個数設けており、更に、受け部材３６の底面には摘み３８ａを有する碗状体３８が重ねられている。碗状体３８にはゴキブリＧが通り得る穴（溝）３９を適宜個数空けている。
【００５５】
この実施形態では、蓋４はタンク部１に上方からずれ不能に嵌まってかつタンク部１の上面に当たる段付きの内筒４０を有しており、内筒４０に適宜数の入り口９を切欠き形成している。そして、この実施形態では、蓋４を取り外してから上室３に熱湯を注ぎ入れることでゴキブリＧを殺すことができる。そして、死んだゴキブリＧは受け部材３６に載ったままなので、受け部材３６をタンク部１から取り外すことでゴキブリＧを捨てることができる。この実施形態はタンク部１として、既存の各種の瓶（廃瓶）を使用できる。
【００５６】
なお、第１０実施形態の蓋４は入り口９を閉じる機能は備えておらず、従って、厳密には、蓋の名称よりも傘装置やカバーと言った名称が適切かもしれないが、形態は他の実施形態の蓋４を維持しているので、便宜的に「蓋」の名称を使用している。
【００５７】
(6).その他
本願発明は上記した各実施形態の他にも様々に具体化できる。例えばタンク部や上室や蓋の形状は必要に応じて自由に設定できる。上室を３個以上の部材で構成することも可能である。タンク部の底面にヒータを設けて、内部の湯温を略一定に保持することも可能である。お湯が冷めるのを抑制する断熱性（保温性）向上手段としては、タンク部を発泡スチロール等の断熱材で覆うことも可能である。また、タンク部と上室とを分離方式にした場合、タンクと上室（及び蓋）とをそれぞれ二重構造のような断熱構造にしたり、断熱材製にしたりすることも可能である。また、タンク部等を中空構造とした場合、内部に断熱材を充填することも可能である。
【図面の簡単な説明】
【００５８】
【図１】第１実施形態の構造を示す図である。
【図２】第１実施形態の使用手順を示す図である。
【図３】第１実施形態の使用手順を示す図である。
【図４】第２〜第４実施形態を示す図である。
【図５】第５〜第７実施形態を示す図である。
【図６】第８〜第１０実施形態を示す図である。
【符号の説明】
【００５９】
１  タンク部
３  上室
４  蓋
９  入り口
１１，１１ａ〜１０ｃ，１１′，１１″  棚部
１７  Ｏリング
１８  ロッド
１９  閉鎖体
【図１】
2009000066.tif 000003
【図２】
2009000066.tif 000004
【図３】
2009000066.tif 000005
【図４】
2009000066.tif 000006
【図５】
2009000066.tif 000007
【図６】
2009000066.tif 000008